(57)【要約】【課題】  緊急地震速報を受信後停電となっても緊急連絡先を把握可能な災害情報受信機能付印刷装置を提供する。【解決手段】  緊急地震速報を受信すると（Ｓ１０ステップ）、地震速報の報知を行い（Ｓ１１ステップ）、緊急地震速報を受信した際に印刷動作を行う設定となっており（Ｓ１２ステップのＹＥＳ）、かつ、電話帳を印刷する設定となっていれば（Ｓ１３ステップのＹＥＳ）、メモリに格納されている電話帳を印刷する（Ｓ１４ステップ）。【選択図】  図５
2010034637.tif 000002
【特許請求の範囲】
【請求項１】
災害に関する情報を受信すると、予めメモリに格納された特定の相手先の連絡先を自動的に印刷することを特徴とする災害情報受信機能付印刷装置。
【請求項２】
災害に関する情報を受信すると、予め電話帳メモリに格納された電話帳データを自動的に印刷することを特徴とする災害情報受信機能付印刷装置。
【請求項３】
相手先の連絡先を複数格納可能な記憶手段と、災害情報を受信する受信手段と、印刷手段と、前記記憶手段に格納されている複数の連絡先から特定の連絡先を設定する設定手段と、制御手段とを有し、
前記制御手段は、前記受信手段が災害情報を受信したと判定すると、前記設定手段により設定された特定の連絡先を前記記憶手段から読み出し、読み出した連絡先を前記印刷手段で印刷するよう制御することを特徴とする災害情報受信機能付印刷装置。
【請求項４】
発呼又はファクシミリ発信した相手先の履歴を格納する発信履歴記憶手段と、災害情報を受信する受信手段と、印刷手段と、制御手段とを有し、
前記制御手段は、前記受信手段が災害情報を受信したと判定すると、前記発信履歴記憶手段に格納されている履歴を前記印刷手段で印刷するように制御することを特徴とする災害情報受信機能付印刷装置。
【請求項５】
着呼又はファクシミリ受信した相手先の履歴を格納する着信履歴記憶手段と、災害情報を受信する受信手段と、印刷手段と、制御手段とを有し、
前記制御手段は、前記受信手段が災害情報を受信したと判定すると、前記着信履歴記憶手段に格納されている履歴を前記印刷手段で印刷するように制御することを特徴とする災害情報受信機能付印刷装置。
【発明の詳細な説明】
【技術分野】
【０００１】
本発明は、災害情報を受信可能であり且つ印刷機能を有する、災害情報受信機能付印刷装置に関するものである。
【背景技術】
【０００２】
近年、気象庁が緊急地震速報なるサービスの提供を開始した。この緊急地震速報を具体的に説明すると、気象庁が複数の地点に地震計を配置し、地震が発生した際にこの地震計からのデータを収集し、収集したデータから震源地の経度、緯度、震源の深さ、地震の規模（マグニチュード）を計算し、計算したデータを特定の端末、或いは事業者等に送信するものである。
【０００３】
更に具体的に、気象庁から事業者を介して端末にデータを送信する場合について説明する。この場合、気象庁と事業者と端末が接続された構成となっており、地震が発生すると、地震に関するデータを気象庁から事業者、端末へと順に送信されるようになっている。
具体的な動作としては、気象庁から事業者に、震源地の経度、緯度、震源の深さ、地震の規模（マグニチュード）のデータが送信されると、事業者のサーバ側で、事業者のサービスに加入している端末の位置情報に基づいて、端末の存在する位置での震度や揺れが到達するまでの時間を即座に計算し、これらのデータを端末へ送信している。
【０００４】
尚、事業者側から端末へ気象庁から送られてきた震源地の情報をそのまま送信し、端末側で予測震度を計算するシステムも存在する。この場合、端末は、端末に予め記録されている地域情報、例えば端末が設置されている場所の緯度・経度情報等を用いて、予測震度や主要動（＝地震動のうち、人体に最も強く感じられる部分。通常はＳ波）が到達する予測時刻等を算出する。
算出結果は、例えば液晶パネルによる画像表示や、スピーカによる音声出力により、ユーザに報知される。これによりユーザは、震源地から主要動が到達するまでの間に、机の下に隠れたり火の元を消したりする等の避難行動をとることができる。
【０００５】
又、災害情報に関する様々な技術が特許出願されており、例えば特許文献１には、サーバが災害情報認識機関から災害情報を受信すると、画像形成装置の設置場所に対応する避難場所の情報を作成し、作成した避難場所の情報を画像形成装置に送る技術が記載されている。
【特許文献１】特開２００７−２２０００６号
【発明の開示】
【発明が解決しようとする課題】
【０００６】
上記特許文献１では、災害が発生した際の避難場所についてはユーザに報知することができるが、緊急連絡先についてはユーザに報知することができない。又、画像形成装置が災害情報を受信した直後に停電になると、ユーザは装置を使用することができないため、装置に格納されている緊急連絡先や電話帳メモリの内容を見ることができない。
【課題を解決するための手段】
【０００７】
本発明はこのような課題を解決するためのものであり、請求項１の発明は、災害に関する情報を受信すると、予めメモリに格納された特定の相手先の連絡先を自動的に印刷することを特徴とする。
請求項２の発明は、災害に関する情報を受信すると、予め電話帳メモリに格納された電話帳データを自動的に印刷することを特徴とする。
請求項３の発明は、相手先の連絡先を複数格納可能な記憶手段と、災害情報を受信する受信手段と、印刷手段と、前記記憶手段に格納されている複数の連絡先から特定の連絡先を設定する設定手段と、制御手段とを有し、前記制御手段は、前記受信手段が災害情報を受信したと判定すると、前記設定手段により設定された特定の連絡先を前記記憶手段から読み出し、読み出した連絡先を前記印刷手段で印刷するよう制御することを特徴とする。
請求項４の発明は、発呼又はファクシミリ発信した相手先の履歴を格納する発信履歴記憶手段と、災害情報を受信する受信手段と、印刷手段と、制御手段とを有し、前記制御手段は、前記受信手段が災害情報を受信したと判定すると、前記発信履歴記憶手段に格納されている履歴を前記印刷手段で印刷するように制御することを特徴とする。
請求項５の発明は、着呼又はファクシミリ受信した相手先の履歴を格納する着信履歴記憶手段と、災害情報を受信する受信手段と、印刷手段と、制御手段とを有し、前記制御手段は、前記受信手段が災害情報を受信したと判定すると、前記着信履歴記憶手段に格納されている履歴を前記印刷手段で印刷するように制御することを特徴とする。
【発明の効果】
【０００８】
請求項１に記載の発明によると、災害情報を受信すると、特定の相手先の連絡先を自動的に印刷するため、停電になり特定の相手先の連絡先を装置で確認することができない、といった事態を回避することができる。
【０００９】
請求項２に記載の発明によると、災害情報を受信すると、電話帳の内容を自動的に印刷するため、停電になり電話帳に記載されている連絡先を装置で確認することができない、といった事態を回避することができる
請求項３に記載の発明によると、災害情報を受信すると、特定の相手先の連絡先を自動的に印刷するため、停電になり特定の相手先の連絡先を装置で確認することができない、といった事態を回避することができる。
【００１０】
請求項４に記載の発明によると、災害情報を受信すると、発信履歴を自動的に印刷するため、停電になり発信履歴の相手先を装置で確認することができない、といった事態を回避することができる。
【００１１】
請求項５に記載の発明によると、災害情報を受信すると、着信履歴を自動的に印刷するため、停電になり着信履歴の相手先を装置で確認することができない、といった事態を回避することができる。
【発明を実施するための最良の形態】
【００１２】
以下に本発明の実施形態を、図面を参照しながら説明する。なお、ここで示す実施形態は一例であり、本発明はここに示す実施形態に限定されるものではない。
【００１３】
図１は本実施例装置の外観図である。図１に示すように本実施例装置は親機１００とハンドセット２００とからなり、親機１００には表示部５、操作部４１等が搭載されている。親機１００に搭載されているキーとしては、例えば、テンキー４１、カーソルを上下左右に移動（項目を決定）し決定する為のファンクションキー４２、ファクスやコピーの開始を指示するためのファクス／コピーキー４３、ストップキー４４等を有している。又、図示していないが、ハンドセット２００を充電するための充電端子を搭載している。ハンドセット２００を親機１００に載置することによりハンドセット２００のバッテリを充電可能である。
【００１４】
図１の紙面左側には、ハンドセット２００の正面図と側面図を記載している。ハンドセット２００には、スピーカ２０３、マイク２０４、通話キー２０１、切キー２０２が搭載されている。又、ハンドセット２００には充電端子（図示せず）が搭載されている。
第２図は、本発明をファクシミリ装置に適用してなる実施例の全体構成を示すブロック図である。この実施例にかかるファクシミリ装置は、内部にＣＰＵ（ＣｅｎｔｒａＬ１  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのワークメモリやレジスタなどを有し、各種ファクシミリ機能動作を司るファクシミリ機能制御装置１を備える。
このファクシミリ機能制御装置１は、ＲＯＭ（Ｒｅａｄ  ＯｎＬ１ｙ  Ｍｅｍｏｒｙ）２と接続され、ＲＯＭ２に予め格納されている制御プログラムなどのプログラムに基づいて動作し、後述する各回路の動作を制御する。
また、このファクシミリ機能制御装置１は、上記ＲＯＭ２に格納されているプログラムに基づいて、以下で説明する各種ファクシミリ機能の動作を行う。すなわち、ＲＯＭ２から読み出されたプログラムに基づき、ファクシミリ機能である符号化・復号化処理、モデムの変復調処理や、受信した緊急地震速報とフラッシュメモリ３に格納された情報から自装置における震度と揺れが発生するまでの時間を算出する処理などの各種演算処理が行われる。尚、これら演算処理の機能はファクシミリ機能制御装置１が有している。例えば演算処理による動作がモデム動作の場合には、モデム処理部というように表現しているが、実際にはプログラムによる演算処理であり、そのような具体的回路が存在するわけではない。
フラッシュメモリ３には、受信したファクシミリデータや電話帳メモリ等のデータが格納される。又、フラッシュメモリ３には、１）緊急地震速報を報知する為に必要な情報である、自装置の経度、緯度情報、地盤増幅率の情報、緊急地震速報を報知開始する震度の情報（例えば、震度４以上の場合で報知を行うといった情報）、２）事業者から受信した自装置の周囲の地図情報、３）避難経路が記載された地図情報、４）緊急地震速報を受信した際に、避難経路が記載された地図や電話帳を印刷するか否かの情報、５）初期設定が行われた際に自装置の経度や緯度情報を送信する宛先（例えば事業者のサーバ）に関する情報、６）緊急地震速報を報知する際に使用する文字メッセージや音声メッセージの情報、等も格納される。
ファクシミリ機能制御装置１に接続される操作部４は、ダイヤル入力や文字入力を行う為のテンキー４１、上記フラッシュメモリ３に格納された相手先を選択する為のファンクションキー４２、ファクシミリ送信開始指示を行う為のファクス／コピーキー４３、動作の中止を指示するためのストップキー４４等を有する。
ファクシミリ機能制御装置１に接続される表示部５は、例えば、液晶表示装置からなり、上記操作部４から入力された電話番号や、上記フラッシュメモリ３に格納された相手先氏名や、該相手先氏名に対応する電話番号及びファックス番号等を表示する。尚、着信時に発呼側から電話番号の情報が送られてきた際には、送られてきた電話番号又は、この電話番号が上記フラッシュメモリ３に格納されているときには上記電話番号に対応する相手先氏名を表示する。
【００１５】
ファクシミリ機能制御装置１に接続される印字部６は、例えば、サーマルプリンタ、インクジェットプリンタやレーザプリンタ等で構成され、送信されてきたイメージデータ、フラッシュメモリ３に格納されているイメージデータ等を印字し、出力する。
ファクシミリ機能制御装置１に接続される読取部７は、例えばＣＣＤ（Ｃｈａｒｇｅ  ＣｏｕｐＬ１ｅｄ  Ｄｅｖｉｃｅ）等からなる光学的読取装置を有しており、原稿上に描かれた画情報を読み取ると共に、読み取るべき原稿の有無（読取位置への原稿のセット状態）を検出する。
フック検出部１８は、ハンドセット８のオンフック、オフフック状態を検出し、そのフック状態をファクシミリ機能制御装置１に知らせる。前記フック検出部１８はハンドセットの充電端子（図示せず）の電圧の変化により前記ハンドセット８のオンフック、オフフックを検出するものである。
クロスポイントＩＣ回路１１は、ファクシミリ機能制御装置１の制御に基づいて、回線２０、送受信部１９、ＤＡＣ回路１５間の信号経路の切り替えを行うものである。このクロスポイントＩＣ回路１１は、例えば、送受信部１９からの音声信号を回線２０に与えたり、また、回線２０からの音声信号を送受信部１９へ与えるなど信号経路の切り替えを行う。
ＤＡＣ回路１５は、クロスポイントＩＣ回路１１から与えられたアナログの音声信号をデジタル信号に変換して、ファクシミリ機能制御装置１に与え、また、ファクシミリ機能制御装置１からのデジタル信号をアナログ信号に変換し、クロスポイントＩＣ回路１１を介して、回線Ｌ１や本体のスピーカ１６へアナログ音声信号を与える。本体に設けられたスピーカ１６、マイク１８は、操作部４のキー操作により、ハンズフリー動作による送受話動作を行う場合に用いられる。ハンズフリー動作による送受話動作は、回線Ｌ１から入力された音声信号が、スイッチ１２，クロスポイントＩＣ回路１１、ＤＡＣ回路１５を経てファクシミリ機能制御装置１に入力され、ファクシミリ機能制御装置１内のアンプで増幅され、ＤＡＣ回路１５，クロスポイントＩＣ回路１１を介してスピーカ１６から出力される。一方、マイク１８から入力された音声信号は、クロスポイントＩＣ回路１１、ＤＡＣ回路１５を経てファクシミリ機能制御装置１内に入力され、ファクシミリ機能制御装置１内でゲインを調整した後、ＤＡＣ回路１５、クロスポイントＩＣ回路１１、スイッチ１２を介して回線Ｌ１へと出力される。
着信検出部１４は、回線Ｌ１からの着信信号の有無を検出し、その結果をファクシミリ機能制御装置１に通知する。
送受信部１９はアンテナ１７と接続されており、子機２００との無線信号の送受信を行う。
インターネットモデム部２０は、インターネット回線Ｌ２と接続され、ＴＣＰ／ＩＰ（Transmission Control Protocol/Internet Protocol）プロトコルに基づくデータの送受信を行う。尚、本実施例装置では、インターネットモデム部２０により、インターネット回線Ｌ２からの緊急地震速報を受信することができる。
ファクシミリ機能制御装置１は、図３に示すように、全体を制御するためのＣＰＵ１０１を備え、Ｉ／Ｏポート１０２を介してＲＯＭ２から与えられるプログラムに基づき、各種動作における処理部を構成する。Ｉ／Ｏポート１０２は、複数の入力端子と複数の出力端子を備え、このＩ／Ｏポート１０２を介して前述した各回路とファクシミリ機能制御装置１が接続される。
ファクシミリ機能制御装置１の画処理部１０３は、ファクシミリ機能制御装置１に接続された読取部７を駆動するためのクロック信号の送出、画情報の入出力、画情報の２値化、多値化処理を行う。読取部７からＩ／Ｏポート１０２を介して入力された画信号は画処理部１０３から符号化・復号化部１０７に与えられ、符号化・復号化部１０７にて、ＭＨ、ＭＲ、ＭＭＲなどの圧縮信号に符号化され、モデム１０８を介して送信処理動作を経て回線に送出される。また、コピー動作時には、読取部７からＩ／Ｏポート１０２を介して入力された画信号は画処理部１０３から印字制御部１０４を介して印字部６に与えられ、印字部６で画情報が印字される。
印字制御部１０４は、印字部６を駆動するためのクロック信号の送出、印字部６への画情報の送出を行う。
計時部１０５は、後述するように制御動作に必要となる各種時間を測定するものであり、測定した各時間が記憶部９へ与えられ、記憶される。
リンガー音発生部１０６は、呼び出し音を生成するものであり、上記着信検出部１４が回線２０からの着信信号を検出した際に、呼び出し音を生成し、ＤＡＣ回路１５に呼び出し音を与え、クロスポイントＩＣ回路１１を介してスピーカ１６へ呼出音を送出する。
符号化・復号化部１０７は、送信すべき画信号をＭＨ、ＭＲ、ＭＭＲなどの圧縮信号に符号化するとともに、受信した圧縮信号を元の画信号に復号化する。
モデム１０８は、回線２０からスイッチ１２、クロスポイントＩＣ回路１１、ＤＡＣ回路１５を経て入力されるファクシミリ制御信号（ＣＮＧ信号、ＣＦＤ信号、ＤＩＳ信号等）を検出する機能と、上記制御信号をＤＡＣ回路１５、クロスポイントＩＣ回路１１、スイッチ１２を経て回線２０へ送出する機能と、画情報の変復調を行う機能と、着信時に交換器（図示せず）から送られてくる発呼側の電話番号を検出する機能と、を有している。
上記したように、クロスポイントＩＣ回路１１は、ファクシミリ機能制御装置１の制御の下で回線２０をモデム１０８側、ハンドセット８側、上記モデム１０８側又はハンドセット８側のいずれのラインとも接続しない状態に切換接続する。尚、上記クロスポイントＩＣ回路１１は、待機状態の際には、ハンドセット側をスイッチ１２側へ接続している。
ダイヤラ１０９は、発呼時にダイヤル信号を生成するもので、ダイヤル信号をＤＡＣ回路１５、クロスポイントＩＣ回路１１、スイッチ１２を経て回線２０へ送出する。
算出部１１０は、受信した緊急地震速報（例えば、震源地の経度緯度情報等）とフラッシュメモリ３に格納されている自装置の経度緯度情報、地盤増幅率の情報等から自装置における震度や揺れが発生するまでの時間を算出する。
【００１６】
次に、本実施例装置の動作について説明する。図３及び図４は本実施例装置の動作を示すフロー図である。尚、図３は装置の初期設定の動作を示すフロー図であり、図４は、緊急地震速報を受信した際の動作を示すフロー図である。又、本実施例装置を使用したシステムでは、気象庁、緊急地震速報を送信する事業者、親機１００がインターネット回線を介して接続されており、気象庁で検出された地震に関する情報は、事業者を介して親機１００に送信されるようになっている。又、事業者には、日本の各地域の経度緯度情報と、当該経度緯度情報に対応する地図情報を格納している。更にこの地図情報には、地震時における緊急避難場所の情報（経度緯度情報や、地図情報等）が記載されている。
【００１７】
まず、図３のＳ１ステップにおいて、ファクシミリ情報制御装置１は、操作部４から初期設定の入力（位置情報の入力を含む）があると判定すると、Ｓ２ステップへ処理を進める。
【００１８】
Ｓ２ステップでは、ファクシミリ情報制御装置１は、前記Ｓ１ステップにおいて入力された位置情報（経度、緯度の情報）をフラッシュメモリ３に格納する。尚、この時Ｓ１ステップで入力された、地盤増幅率や報知レベルといった各種情報も格納される。
【００１９】
Ｓ３ステップでは、ファクシミリ情報制御装置１は、前記Ｓ２ステップでフラッシュメモリ３に格納した位置情報を事業者のサーバに送信する。具体的には、ファクシミリ情報制御装置１は、インターネットモデム部２０を制御することにより、装置と予め設定しフラッシュメモリ３に格納した宛先（例えば事業者のサーバ）を接続させ、インターネット回線Ｌ２を介してフラッシュメモリ２に格納した位置情報を事業者のサーバに送信する。尚、この位置情報を受信した事業者のサーバは、サーバに予め格納されている受信した位置情報に対応する地図情報を親機１００に対して送信する。
【００２０】
Ｓ４ステップでは、ファクシミリ情報制御装置１は、インターネット回線Ｌ２、インターネットモデム部２０を介して事業者のサーバから地図情報を受信する。
【００２１】
Ｓ５ステップでは、ファクシミリ情報制御装置１は、前記Ｓ４ステップで受信した地図情報をフラッシュメモリ３に格納する。
【００２２】
続くＳ６ステップでは、ファクシミリ情報制御装置１は、フラッシュメモリ３に格納した地図の避難場所と自装置の経度緯度から、自装置から避難場所までの最適な避難経路（ルート）を計算する。尚、最適な避難経路の算出方法としては、例えば自装置から避難場所までの最短の道を最適な避難経路として算出する方法が挙げられる。
【００２３】
続くＳ７ステップでは、ファクシミリ情報制御装置１は、前記Ｓ６ステップで算出した避難経路を前記Ｓ５ステップで格納した地図情報に記載し、この避難経路が記載された地図情報（例えば、図６に示す地図情報）をフラッシュメモリ３に格納する。このようにして、装置の初期設定が完了する。
【００２４】
続いて、親機１００が緊急地震速報を受信した際の動作を図５のフロー図に基づいて説明する。図５のＳ１０ステップにおいて、ファクシミリ情報制御装置１は、インターネットモデム部２０から緊急地震速報を受信したことを示す信号を検出すると、Ｓ１１ステップへ処理を進める。
【００２５】
Ｓ１１ステップにおいて、ファクシミリ情報制御装置１は、Ｓ１ステップで受信した緊急地震速報とフラッシュメモリ３に格納されている自装置の経度緯度情報や地盤増幅率から、自装置における震度と揺れが到達するまでの時間を計算し、計算した震度や揺れが到達するまでの時間の情報を表示部５に文字メッセージで表示すると共に、スピーカ１７から音声メッセージで出力する。
【００２６】
Ｓ１２ステップでは、ファクシミリ情報制御装置１は、フラッシュメモリ３に、緊急地震速報を受信した際に印刷を行う旨の設定情報があると判定するとＳ１３ステップへ処理を進め、そうでなければ処理を終了する。
【００２７】
Ｓ１３ステップでは、ファクシミリ情報制御装置１は、フラッシュメモリ３に、緊急地震速報を受信した際に電話帳印刷を行う旨の設定情報があると判定するとＳ１４ステップへ処理を進め、そうでなければＳ１５ステップへ処理を進める。
【００２８】
Ｓ１４ステップでは、ファクシミリ情報制御装置１は、フラッシュメモリ３に格納されている電話帳のデータを読み込み、読み込んだ電話帳のデータを印字部６を用いて印字する。
【００２９】
Ｓ１５ステップでは、ファクシミリ情報制御装置１は、フラッシュメモリ３に格納されている避難経路が記載された地図情報を読み込み、読み込んだ地図情報を印字部６を用いて印字する。
【００３０】
尚、本実施例装置を以下のように実施しても良い。
１）親機１００は、緊急地震速報を受信すると無条件で電話帳のデータを印刷する構成としても良い。
２）緊急地震速報を受信した際に印刷するデータとして、電話帳データのほかに、予めユーザが設定した相手先の連絡先としても良いし、電話発呼やファクシミリ発信の履歴である所謂発信履歴としても良いし、電話着呼やファクシミリ受信の履歴である所謂着信履歴としても良い。
３）親機１００は、緊急地震速報を受信すると無条件でユーザが設定した相手先の連絡先や着信履歴、発信履歴等のデータを印刷する構成としても良い。
【００３１】
尚、本実施例装置では、緊急地震速報を受信可能なファクシミリ装置について実施したが、緊急地震速報を受信可能であり且つ印刷機能を有するコピー機についても同様に実施可能である。
【図面の簡単な説明】
【００３２】
【図１】本実施例装置の外観図である。
【図２】本実施例装置の親機１００のブロック図である。
【図３】本実施例装置のファクシミリ情報制御装置１のブロック図である。
【図４】本実施例装置の動作を示すフロー図である。
【図５】本実施例装置の動作を示すフロー図である。
【図６】地図情報の一例である。
【符号の説明】
【００３３】
１      ファクシミリ情報制御装置
４      操作部
１７    アンテナ
１８    送受信部
２０    インターネットモデム部
４１    テンキー
４３    ファクス／コピーキー
４４    ストップキー
１００  親機
２００  ハンドセット
２０１  通話キー
２０２  切キー
２０５  平面部
２０６  溝部
２０７  傾斜部
【図１】
2010034637.tif 000003
【図２】
2010034637.tif 000004
【図３】
2010034637.tif 000005
【図４】
2010034637.tif 000006
【図５】
2010034637.tif 000007
【図６】
2010034637.tif 000008